【事件の表示】
　特許第３３４８０９８号「光学的情報読取装置」の請求項１ないし９に係る特許に対する特許異議の申立てについて、次のとおり決定する。
【結　論】
　訂正を認める。
　特許第３３４８０９８号の請求項１ないし４に係る特許を維持する。
【理　由】
１．手続きの経緯
　本件特許第３３４８０９８号に係る各請求項に係る発明は、平成１１年５月７日に出願した特願平１１−１２６６７５号の一部を平成１４年２月２７日に新たな特許出願としてものであって、平成１４年９月６日にその特許権の設定登録がなされ、その後、特許異議申立がなされ、取消理由通知がなされ、その指定期間内である平成１６年１月２９日に訂正請求がなされたものである。
２．訂正の適否について
（訂正の内容）
　上記訂正は、請求項１乃至５を削除し、それに伴い、請求項６乃至９を次のとおりとするものである。
「【請求項１】　レーザ光照射手段と、前記レーザ光照射手段からのレーザ光を走査するモータにより回転するポリゴンミラーと、前記ポリゴンミラーにより走査されたレーザ光の照射による読取対象からの反射光を受光して電気信号に変換する受光手段と、前記受光手段の電気信号をアナログ処理するアナログ処理回路および前記アナログ処理回路の信号を入力してデジタル処理するデジタル処理回路とからなる前記読取対象を解読する解読処理手段とを備えてなる光学的情報読取装置において、前記レーザ光照射手段はレーザ光出射方向に延び、底面に突起と前記突起を挾みレーザ光出射方向の両側のそれぞれにねじ孔を有する保持体に固定されるとともに、前記保持体は前記モータにより回転するポリゴンミラーを装着したモータ基板に、前記基板に対して直交する方向に揺動自在に前記突起を当接して前記基板を貫通するねじを前記それぞれのねじ孔へのねじ込み量を調整して前記レーザ光照射手段のレーザ光出射方向を所定の方向に向けてねじ締め固定され、前記解読処理手段は前記アナログ処理回路を実装するアナログ信号処理基板と、前記デジタル処理回路を実装するデジタル信号処理基板とを有し、前記アナログ信号処理基板とデジタル信号処理基板とを前記ポリゴンミラーを装着したモータ基板を挟んで、その上下に互いに近接配置してなることを特徴とする光学的情報読取装置。
【請求項２】　前記モータ基板と、アナログ信号処理基板と、デジタル信号処理基板とを単一の枠体内に収納してなることを特徴とする請求項1に記載の光学的情報読取装置。
【請求項３】　前記単一の枠体内に、読取対象からの反射光を受光する受光素子モジュールをに収納してなることを特徴とする請求項２に記載の光学的情報読取装置。
【請求項４】　前記受光素子モジュールが、前記アナログ信号処理基板と前記デジタル信号処理基板との間で前記モータ基板の一側縁に隣接して配置されてなることを特徴とする請求項３に記載の光学的情報読取装置。」
（訂正の適否）
　上記訂正における請求項１乃至５の削除は、特許請求の範囲の減縮に該当する。また、請求項６を独立形式に書き直して請求項１に訂正するに際して、文言の組み替えを行っているが、実質的に請求項６の内容が変更になっているわけでないので、当該訂正は、明瞭でない記載の釈明に該当する。請求項７乃至９を請求項２乃至４とする訂正は、明瞭でない記載の釈明に該当する。
（まとめ）
　よって、上記訂正は適法にされたものであるから、当該訂正を認める。
３．特許異議の申立てについて
（本件発明）
　特許第３３４８０９８号の請求項１乃至４に係る各発明は、訂正明細書の特許請求の範囲の請求項１乃至４に記載されたとおりのものである（上記２．の（訂正の内容）を参照）。
（甲各号証に記載された発明）
　異議申立人が提出した甲第１号証（実公昭５９−２６３２５号公報）には、光軸調整装置が記載されており、「取付部材６の取付面６Ａに対面される固定部材４の底面４Ａには、そのほぼ中央位置に突条７が傾動調整軸線方向に平行にねじピン８が埋込み固定されている。この突条７は半円形の横断面となされており、第３図に示す如く取付面６Ａと常に線接触するようになされている。一方、取付部材６にはねじピン８と対応する位置にばか孔（ねじピン８を貫通収容する孔）９が形成されており、この孔９にねじピン８を通すことによって取付部材６の反対側に突出するねじピン８の部分に対し、コイルばね１０を介装してナット１１が螺着されるマコイルばね１０によって固定部材４を取付部材６に向かって押圧するようになっている。このように構成した光軸調整装置は第３図により判る如く、固定部材４が突条７により取付部材６と線接触し、ねじピン８に介装されたコイルばね１０がナット１１の締込みにより調整されて与えられた蓄勢力で固定部材４を取付部材６に対し保持するので、個々のナット１１のねじ込み量により定まる畜勢力の調整を行うことによって容易に突条７と取付面６Ａとの接線を中心とした矢符Ｘ方向の傾動調整が行い得るのである。又このコイルばねの畜勢力を適切に選定することにより、固定部材４の取付部材６に対する安定した保持が行えるのである。」（第２頁左欄第８?３５行）と説明されている。
　異議申立人が提出した甲第２号証（特開平７−１３４７４７号公報）には、バーコードリーダに関する発明が、従来技術として、記載されており、「【０００２】【従来の技術】図１１（図１２の誤記）はこの種の従来装置の概要図である。図において、32はモータ１，このモータ１の回転軸２，前記モータ１の回転軸２に固定されたポリゴンミラー３，光源としてのレーザダイオード６，このレーザダイオード６から投光されたレーザ光を絞り込むための投光レンズ７，前記ポリゴンミラー３により走査されたレーザ光がバーコード８で反射された反射光を集光する受光レンズ14，この受光レンズ14を介してバーコード８からの反射光を受光して光電変換する受光素子15，この受光素子15で光電変換された電気信号を増幅する増幅器16および波形成形回路17などからなるバーコードリーダであり、33はバーコードを解読するデコーダである。また19は走査光、34は読み取り結果の情報を示す。」、「【０００３】 図１１（図１２の誤記）に示すバーコードリーダは、レーザダイオード６から投射されたレーザ光を投光レンズ７によって焦点を絞り、モータ１により回転しているポリゴンミラー３に当てレーザ光を反射させて走査光19を得る。この走査光19によりバーコード８を走査して得られるレーザ光の反射光を受光レンズ14を介して受光素子15で受光して光電変換し、受光素子15からの電気信号を増幅器16で増幅したのち波形成形回路17でアナログ信号を２値化されたデジタル信号に変換する。デコーダ33はバーコードリーダ32の波形成形回路17で２値されたデジタル信号に基づいてバーコード８を解読し、読み取り結果の情報データを外部機器に送信する。」、「【０００４】図１２（図１３の誤記）は、図１１（図１２の誤記）に示すバーコードリーダの構造を示し、（Ａ）は一部切欠平面図、（Ｂ）は側面図、（Ｃ）は正面図である。図１２（図１３の誤記）において、モータ１、このモータ１により回転するポリゴンミラー３、光源としてのレーザダイオード６と投光レンズ７（図１１（図１２の誤記）参照）を保持する投光部ホルダ４が高分子材料のプラスチック材料からなるフレーム24に固定されている。５は投光レンズ７と共に投光部ホルダ４に保持されるレーザダイオード６の温度上昇を抑えるための放熱板であり、ねじ９により投光部ホルダ４に固定されている。11は受光部ホルダであり、バーコードからの反射光を集光する受光レンズ14と受光素子15を保持しフレーム24に固定されている。」、「【０００５】 前記投光部ホルダ４は図１３（図１４の誤記）に示すように、一端に放熱板５に固着されたレーザダイオード６が取付けられ、他端にナット29に固定された組レンズ7a,7b が取付けられている。また、受光部ホルダ11は図１３（図１４の誤記）に示すように、受光素子15を搭載するプリント基板13、前面用の組レンズ14a 、後面用の組レンズ14b が取付けられている。前記受光部ホルダ11は外部から進入するノイズを遮断する金属材料により形成され、このホルダ11の前面に組レンズ14a がナット30により固定され、ホルダ11の後面から組レンズ14b 、スペーサ32、受光素子15を搭載したプリント基板13が挿入されてナット31により固定されている。前面用の組レンズ14a にはガラス製の表面に長波長コートの処理が施され、レーザダイオード６からのレーザ光のみを透過させ一般光が投光素子15に入射しないようにされている。後面用の組レンズ14b は前面用の組レンズ14a である程度集光されたレーザ光をより集光して受光素子15に入射するようにするためのものである。なお、12は受光素子15により光電変換された電気信号を増幅器16へ伝送するシールド線である。」、「【０００６】図１３（図１４の誤記）に戻り、18はモータ１の回転・制御回路の部品を搭載したプリント基板であり、20は増幅回路を搭載したプリント基板でり、21は波形成形回路を搭載したプリント基板である。プリント基板20はフレーム24の底部にねじ固定され、プリント基板21はプリント基板20に搭載されたコネクタで仮固定され、調整作業の終了後に接着剤でプリント基板20に固定される。22はレーザダイオード６からレーザ光が発光されていることを表示するLED 表示灯であり、23はデコーダ側との接続を行うためのコネクタである。このコネクタ23はフレーム24にねじ固定されたカバー25に固着され、またカバー25の前面側には高波長の光のみを透過させる特性を持ったマスク26が接着固定されている。バーコードリーダの底部にはフレーム24にねじ28で固定された底板27が取付けられ、この底板27はシールド効果を持たせるように銅張りが施されている。」と説明されている。
（対比・検討）
　請求項１に係る発明は、アナログ信号処理基板とデジタル信号処理基板とをモータ基板を挟んでその上下に互いに近接配置したことを一つの特徴としているところ、甲第１号証、甲第２号証にはその点についての記載がない。
　そして、請求項１に係る上記特徴が本件出願前周知であったとする証拠とも見あたらないから、その余の点を検討するまでもなく、請求項１に係る発明が甲第１号証、甲第２号証記載の発明に基づいて当業者が容易に発明をすることができたとすることはできない。
　請求項２乃至４は請求項１を引用しているから、請求項１に係る発明に関して述べたと同じ理由で、請求項２乃至４に係る各発明が甲第１号証、甲第２号証記載の発明に基づいて当業者が容易に発明をすることができたとすることはできない。
（まとめ）
　以上のとおりであるから、本件の請求項１乃至４に係る各発明の特許は、特許法第２９条第２項の規定に違反してなされたものであるとすることはできない。
　また、他に本件の請求項１乃至４に係る各発明の特許を取り消すべき理由も発見しない。
　よって、結論のとおり決定する。
【異議決定日】
平成１６年４月６日（２００４．４．６）
【訂正の要旨】
審決（決定）の【理由】欄参照。
（５４）【発明の名称】
光学的情報読取装置
（５７）【特許請求の範囲】
　【請求項１】　
レーザ光照射手段と、前記レーザ光照射手段からのレーザ光を走査するモータにより回転するポリゴンミラーと、前記ポリゴンミラーにより走査されたレーザ光の照射による読取対象からの反射光を受光して電気信号に変換する受光手段と、前記受光手段の電気信号をアナログ処理するアナログ処理回路および前記アナログ処理回路の信号を入力してデジタル処理するデジタル処理回路とからなる前記読取対象を解読する解読処理手段とを備えてなる光学的情報読取装置において、前記レーザ光照射手段はレーザ光出射方向に延び、底面に突起と前記突起を挾みレーザ光出射方向の両側のそれぞれにねじ孔を有する保持体に固定されるとともに、前記保持体は前記モータにより回転するポリゴンミラーを装着したモータ基板に、前記基板に対して直交する方向に揺動自在に前記突起を当接して前記基板を貫通するねじを前記それぞれのねじ孔へのねじ込み量を調整して前記レーザ光照射手段のレーザ光出射方向を所定の方向に向けてねじ締め固定され、前記解読処理手段は前記アナログ処理回路を実装するアナログ信号処理基板と、前記デジタル処理回路を実装するデジタル信号処理基板とを有し
前記アナログ信号処理基板とデジタル信号処理基板とを前記ポリゴンミラーを装着したモータ基板を挾んで、その上下に互いに近接配置してなる
　【請求項２】　前記モータ基板と、アナログ信号処理基板と、デジタル信号処理基板とを単一の枠体内に収納してなることを特徴とする請求項
１
　【請求項３】　前記単一の枠体内に、読取対象からの反射光を受光する受光素子モジュールを収納してなることを特徴とする請求項
２
　【請求項４】　前記受光素子モジュールが、前記アナログ信号処理基板と前記デジタル信号処理基板との間で前記モータ基板の一側縁に隣接して配置されてなることを特徴とする請求項
３
【発明の詳細な説明】
　【０００１】
　【発明の属する技術分野】
　本発明は、バーコード等を光学的に読み取る光学的情報読取装
置に
　【０００２】
　【従来の技術】
　たとえば、物体の搬送ラインの傍らに光学的情報読取装置を設置し、そのラインに沿って搬送移動する物体の表面に貼り付けあるいは印刷されたバーコード（読取対象）を読み取り、読み取ったバーコードによって搬送移動している物体を識別することはよく知られている。
　【０００３】
　このような光学的情報読取装置として、バーコードにレーザ光を走査して照射するレーザ光照射手段、照射したレーザ光によるバーコードからの拡散反射光を受光して受光量に応じた電圧信号を出力する受光手段、受光手段の電気信号を入力して読取対象を解読する解読処理手段を主として有し、各手段を構成する部品を、照射および受光するレーザ光を透過する窓を設けた直方体状の筐体内に収納して構成したものがある。
　【０００４】
　この場合、筐体は、その内部に各部を構成する部品を位置決め固定するためのたとえば凹凸などの固定部が形成されており、各部品をこの固定部に合わせて位置決め配置し、工具などを挿入してたとえばねじ止め固定するようにしている。そして、一般にレーザ光照射手段はレーザ光を発生する光源およびレンズ、スリットなどの光学系を一つの筐体内に設置し、この筐体を光学的情報読取装置を収納する筐体内の固定部にねじあるいは接着剤により所定の位置に所定の角度で固定している。
　【０００５】
　【発明が解決しようとする課題】
　しかし、レーザ光照射手段の筐体を光学的情報読取装置を収納する筐体内の固定部にねじにより固定する方法では、該レーザ光照射手段にタップ加工するスペースが必要になり、その分レーザ光照射手段が大きくなり、また、レーザ光照射手段を光学的情報読取装置を収納する筐体内の固定部に接着剤で固定する方法では、該レーザ光照射手段の位置決めが難しく、その作業に手間取り、かつ着脱が容易でないという問題があった。
　【０００６】
　さらに、レーザ光照射手段の筐体を所定の位置に所定の角度で固定しても出射するレーザ光の照射方向がＸ軸方向およびＹ軸方向およびその両軸方向にずれている場合があり、この方向のずれを修正する必要がある場合がある。この修正はレーザ光照射手段の筐体の向きをＸ軸方向およびＹ軸方向に調整できる機構を設けることにより可能となるが、Ｘ軸方向およびＹ軸方向のそれぞれの方向に調整するための部材やねじなどが必要となり、レーザ光照射手段の固定構造が大型化するとともに、Ｘ軸方向およびＹ軸方向のそれぞれの方向について別個に調整しなければならないため、その作業に長い時間を要するという問題があった。
　【０００７】
　本発明は、このような問題に鑑みなされたもので、レーザ光照射手段の装置への着脱が容易であって小型化を可能にし、また照射方向のずれを簡単に修正することのできる光学的情報読取装置を提供することを目的とする。
　【０００８】
　【課題を解決するための手段】
　請求項１に係る本発明は、レーザ光照射手段と、前記レーザ光照射手段からのレーザ光を走査するモータにより回転するポリゴンミラーと、前記ポリゴンミラーにより走査されたレーザ光の照射による読取対象からの反射光を受光して電気信号に変換する受光手段と、前記受光手段の電気信号をアナログ処理するアナログ処理回路および前記アナログ処理回路の信号を入力してデジタル処理するデジタル処理回路とからなる前記読取対象を解読する解読処理手段とを備えてなる光学的情報読取装置において、前記レーザ光照射手段はレーザ光出射方向に延び、底面に突起と前記突起を挾みレーザ光出射方向の両側のそれぞれにねじ孔を有する保持体に固定されるとともに、前記保持体は前記モータにより回転するポリゴンミラーを装着したモータ基板に、前記基板に対して直交する方向に揺動自在に前記突起を当接して前記基板を貫通するねじを前記それぞれのねじ孔へのねじ込み量を調整して前記レーザ光照射手段のレーザ光出射方向を所定の方向に向けてねじ締め固定され、
前記解読処理手段は前記アナログ処理回路を実装するアナログ信号処理基板と、前記デジタル処理回路を実装するデジタル信号処理基板とを有し
前記アナログ信号処理基板とデジタル信号処理基板とを前記ポリゴンミラーを装着したモータ基板を挾んで、その上下に互いに近接配置してなる
　【０００９】
　請求項１に係る本発明では、保持体を基板に対して突起を支点にして揺動可能に装着するので、保持体を揺動させてレーザ光の照射方向を調整することができ、その調整作業は容易かつ短時間で行なうことができる。また保持体は基板に当接する側面に突起およびその突起を挾む両側の端部すなわちレーザ光の照射方向に対する前後端部にたとえば基板にねじ締め固定するねじ孔を形成する簡素な構造とすることができる。
　【００１０】
　【００１１】
　【００１２】
　【００１３】
　請求項
２
１に
３
２
４
３
　【００１４】
　【００１５】
　【００１６】
　【００１７】
　【発明の実施の形態】
　以下に、本発明の実施の形態について図を参照して説明する。図１は本発明の実施の形態に係る光学的情報読取装置のレーザ光照射手段の取付け構造を示す斜視図、図２は図１の取付け構造の説明図、図３は本発明の実施の形態に係る光学的情報読取装置の組立て斜視図、図４はレーザ光照射部の斜視図、図５は回路基板の平面図、図６は本発明の実施の形態に係る光学的情報読取装置の全体の回路構成の概略を示すブロック図である。
　【００１８】
　まず、実施の形態に係る光学的情報読取装置の全体の回路構成について、図６を参照して説明する。光学的情報読取装置は、バーコード８にレーザ光を走査して照射するレーザ光照射部１と、バーコード８からの反射光を受光して受光量に応じた電圧信号を出力する受光部２と、受光部２の電圧信号を増幅して２値化するアナログ信号処理部３と、アナログ信号処理部３の２値化信号を入力しバーコードを解読すると共に、各部の制御信号を形成するデジタル信号処理部４と、デジタル信号処理部４と外部機器とのやり取りをする外部インタフェース部５（５ａ）は通信用のインタフェース、５ｂはタイミング信号や読み取りＯＫ、ＮＧなどの入出力用のインタフェース）と、テストスイッチ６ａ及び処理結果等を表示するＬＥＤ表示部６ｂを有する操作部６と、設定データなどを格納するＥＥＰＰＯＭ７とにより構成されている。
　【００１９】
　レーザ光照射部１は、レーザ駆動回路１ａとレーザ駆動回路１ａの駆動によりレーザ光を発光するレーザダイオード１ｂからなるレーザ光源と、レンズ１ｃとスリット１ｄとからなる光学系を内蔵するレーザ光照射手段１Ａと、モータ駆動回路１ｅとモータ駆動回路１ｅの駆動により回転する図示しないモータとモータの回転により回転しレーザ光照射手段１Ａから出射されたレーザ光を走査する８面からなるポリゴンミラー１ｆと走査角を制御するために必要なモータの回転位置に同期した同期信号を出力する同期信号出力部１ｇとにより構成された走査手段とで構成されている。
　【００２０】
　なお、モータの同期信号は、走査光を直接にホトダイオードで検出、ポリゴンミラー１ｆの角部をホトインタラプタで検出、モーターロータ部に回転用に用いている磁石の回転による磁束の変化を駆動用のコイルあるいはホール素子で検出、モーターロータ部に回転用とは別に埋め込んだ磁石の回転により磁束の変化をホール素子で検出、あるいはモーターロータ部に光学的なマーキングを施し、ホトインタラプタで検出などいずれでもよいが、この実施の形態では光学的情報読取装置のさらなる小型化を図るために、モーターロータ部に埋め込んだ磁石で検出するようにしている。
　【００２１】
　受光部２は、バーコード８を走査して照射されたレーザ光の反射光を受光する。受光する反射光はバーコード８の明暗に応じた光量を有し、受光部２はこの光量に応じた電圧信号を出力する。すなわち図示のように右から左に１回走査するとき、その走査開始から順次バーコード８の明暗に応じた反射光量を受光し、この光量に応じた電圧信号、たとえば明の場合には高く暗の場合には低い電圧信号を出力し、その走査の終了時点でバーコード８に対応した電圧信号が得られる。
　【００２２】
　受光部２で形成された受光量に応じた電圧信号は、アナログ信号処理部３に送られここで前置増幅回路３ａ、可変利得増幅回路および増幅率設定可能の増幅回路などからなる増幅処理部３ｂを介して２値化可能の適正値に増幅し、適正値に増幅された増幅処理部３ｂの出力電圧信号を２値化回路３ｃで２値化してデジタル信号処理部４へ送る。
　【００２３】
　デジタル信号処理部４は、たとえばモータの同期信号を入力してレーザダイオード１ｂの点滅を制御するなどの各部の制御、外部機器とのコマンドやデータのやり取り、ＥＥＰＲＯＭ７への設定データの書込、読出、アナログ信号処理部３のデジタルポテンショメータの抵抗値の変更、設定（各増幅回路の増幅率の調整）などを行なうとともに、２値化回路３ｃの２値化信号を入力してその信号に基づいてバーコードを解読し、その結果をインタフェース部５を介して外部機器に転送し、またＬＥＤ表示部６ｂに表示する。
　【００２４】
　たとえば、予め設定した走査時間でバーコード７に対応した信号が得られない場合には、バーコード７の読み取り不良のＮＧ信号をＬＥＤ表示部６ｂに表示し、インタフェース５ａからＮＧ出力を行なうとともに、インタフェース５ｂから外部機器にＮＧコマンドなどを転送し、解読した場合はバーコード７の読み取りＯＫ信号をＬＥＤ表示部６ｂに表示し、インタフェース５ａからＯＫ出力を行なうとともに、インタフェース５ｂからバーコードデータなどを外部機器に転送する。
　【００２５】
　このように構成された光学的情報読取装置は、光学的情報読取装置に電源が投入されることにより、モータ駆動回路１ｅが駆動されモータが回転し、ポリゴンミラー１ｆが回転する。デジタル信号処理部４はモータの同期信号を入力し、ポリゴンミラー１ｆの１つの面の所定の位置がレーザ光の反射位置（その面における走査開始点）となったとき、レーザ駆動回路１ａに点灯信号を送りレーザダイオード１ｂを点灯し、その面における反射を終了する所定の位置（その面における走査終了点）になったときレーザ駆動回路１ａに消灯信号を送りレーザダイオード１ｂを消灯する。
　【００２６】
　つまりモータの同期信号に基づいて発光ダイオード１ｂの点灯・消灯信号を形成し、ポリゴンミラー１ｆの１つの面でバーコード７を横切る１回の走査レーザ光が形成され、その走査範囲θはこの実施の形態では６０度に設定されている。なお、受光部２は受光手段、アナログ信号処理部３およびデジタル信号処理部４を併せた処理手段を解読処理手段に相当する。
　【００２７】
　受光部２は、バーコード８へ走査にしたがい照射したレーザ光の拡散反射光を受光し、受光光量に応じた大きさの電圧信号に変換して出力する。その電圧信号はアナログ信号処理部３に送られここで前置増幅回路３ａ、可変利得増幅回路３ｂを介して適正値に増幅し２値化回路３ｃで２値化してデジタル信号処理部４へ送る。デジタル信号処理部４では通常２回の走査により一致した場合にバーコード８に対応した信号と判断してバーコード８を解読する。
　【００２８】
　そして、光学的情報読取装置を構成するレーザ光照射部１、受光部２およびアナログ信号処理部３、デジタル信号処理部４、インタフェース部５、ＥＥＰＲＯＭ７などからなる信号処理回路部は、光透過窓を有する筐体内に収納して構成される。この実施の形態に係る光学的情報読取装置では、レーザ光照射部１は、図４に示すように、モータの基板１１に、回転軸にポリゴンミラー１ｆを固定したモータ１４とレーザ光照射手段１Ａを位置決め固定したホルダー（保持体）１３を固定するように構成されている。
　【００２９】
　信号処理回路部を構成する部品はプリント基板（回路基板）に実装するが、回路基板は図５に示すように、回路基板２１ａ〜２１ｅに５分割され、各回路基板２１ａ〜２１ｅは折り曲げて底面側、後側面、左右両側面および上面側に位置するようにフレキシブル回路基板２２により電気的機械的に連結されている。そして例えば底面側に位置する回路基板２１ａにはアナログ信号処理部３の回路部品が、上面に位置する回路基板２１ｃにはデジタル信号処理部４の回路部品が、後側面に位置する回路基板２１ｂには電線接続部が形成されている。
　【００３０】
　図３は光学的情報読取装置の組立て図である。図５に示す各回路基板２１ａ〜２１ｅに部品が装着されると、底面側に位置する回路基板２１ａの上面に装着部品と干渉しない隙間をあけて図４に示すレーザ光照射手段１Ａおよびポリゴンミラー１ｆを固定したモータ基板１１を固定し、ブッシング２４を固定したケーブル２３を接続し、各回路基板２１ｂ〜２１ｄをレーザ光照射手段１Ａおよびポリゴンミラー１ｆを囲むようにフレキシブル回路基板２２部で折り曲げ、回路基板２１ｅをレーザ光照射手段１Ａに接続して装置本体２５をコンパクト化する。
　【００３１】
　コンパクト化された装置本体２５は、全方向から部品の観察や操作ができるように開口された樹脂製のシャーシ（枠体）２７に嵌めあわせて固定し、その前面に受光素子モジュール２を固着した枠２６を嵌め込み固定される。受光素子モジュール２を固着した枠２６は、上部にレーザ光を透過する空間２６ｂが形成され、その下部に反射光を透過する窓が形成され、その窓の内側にホトダイオード等の受光素子モジュール２を固定している。そしてその窓には、外乱光および外乱電磁波を遮断する機構２６ａが配置されている。
　【００３２】
　２８は上部を形成する筐体でその前面にレーザ光の照射および反射光を透過する窓２８ａが、側面にケーブル２３に固定したブッシング２４を固定する三角状の開口２８ｂが形成され、この開口２８ｂと対向する反対側の側面にキートップ３５を装着する開口２８ｃが形成され底面は開口している。
　【００３３】
　窓２８ａには窓ガラス２９が嵌められ、その内側および上部筐体２８の後面内側に絶縁シート３１および３２が取り付けられる。３４は底部筐体で受光素子モジュール２が位置する下部に絶縁シート３３を敷き、装置本体２５および受光素子モジュール２を装着した枠２６を固定した枠体２７を載置し、上部筐体２８を被せてねじ３６で固定する。すなわち、枠体２７に装置本体を構成する各部品を固定した後、この枠体２７を筐体２８内に嵌合収納する構造に構成する。
　【００３４】
　ところで、レーザ光照射手段１Ａのモータの基板１１への取り付け構造について図１および図２を参照して具体的に説明すると、レーザ光照射手段１Ａは、レーザ光を発光するレーザ光源および光学系は断面外形円形もしくは楕円形に形成され前面にレーザ出射窓６１を有する筒状の筐体内に配置収納され、その筐体の中央部分６２は端部に比し大径に形成されている（図１（ａ））。
　【００３５】
　保持体１３は樹脂で一体成形されており、レーザ光照射手段１Ａの筐体と嵌合する凹部６３が長手方向に形成され、その凹部６３の長手方向の両側端部に凹部６３を挾んで互いに対向するフック（把持手段）６４が突出して形成されている（図１（ｂ））。長手方向の両側端部に位置する把持手段６４間の間隔はレーザ光照射手段１Ａの筐体の大径部６２が嵌合する間隙にされており、この凹部６３にレーザ光照射手段１Ａの筐体を把持手段６４の把持力に抗して嵌め込むとき、この間隙に筐体の大径部６２を嵌合する。この嵌合によって長手方向の位置も固定される（図１（ｃ））。筐体を嵌め込んだ後筐体を外すには把持力に抗して抜き取ればよい。すなわち、レーザ光照射手段１Ａは着脱自在に保持体１３に位置決め保持される。
　【００３６】
　保持体１３の基板１１に当接する側の側面（底面）には、長手方向の中央部に円弧状の突起６５が形成され、その突起６５を挾む両側の端部に固定用のねじと螺合するねじ孔６６が形成されている。また突起６５が形成された側面の幅ｄは狭く、すなわち、図１および図４に示すように、保持体１３の基板１１と対向する底面に、基板１１側に突出し、レーザ光の出射方向に沿って延びる段差を形成し、その段差により形成された基板１１側に突出する保持体１３のレーザ光の出射方向に延びる一側の側面に片寄せした底面の幅ｄは狭く、基板１１に当接したときの保持体１３の回動をしやすく、かつ保持体１３が基板１１を占める割合を小さくしている。
　【００３７】
　一方、基板１１のレーザ光照射手段１Ａ、つまり保持体１３の固定箇所には、保持体１３を締め付け固定するねじ６８を挿通するねじ６８のねじ部の外径よりも大きい径の孔６７が形成されている（図１（ｄ））。レーザ光照射手段１Ａを位置決め保持した保持体１３は、突起６５を基板１１に当接してねじ孔６６を基板１１の孔６７に対向させ、ねじ６８を孔６７を挿通してねじ孔６６に嵌めて締め付け固定する。
　【００３８】
　この固定に際し、両側のねじ６８の保持体１３へのねじ込み量、たとえばレーザ光の出射方向に対して前方に位置する側、すなわちレーザ出射窓６１側に位置するねじ６８のねじ込み量を多く、反対側のねじ込み量を少なくするにしたがい保持体１３は突起６５を支点にしてレーザ出射窓６１側が基板１１に接近する方向に揺動して、逆にレーザ光の出射方向に対して後方に位置する側のねじ６８のねじ込み量を多く、前方に位置する側のねじ込み量を少なくするにしたがい保持体１３は突起６５を支点にしてレーザ出射窓６１側が基板１１に離れる方向に揺動する。この揺動を利用してレーザ光のＹ軸方向に対する照射方向のずれを修正する（図２（ａ））。
　【００３９】
　また、この実施の形態では、基板１１の孔６７の径が挿通するねじ６８のねじ部の外径よりも大きいので、その大きい分保持体１３を突起６５を支点にして基板１１の平面上を回動することができ、この回動を利用してレーザ光のＸ軸方向に対する照射方向のずれを修正する（図２（ｂ））。つまり、保持体１３を突起６５を支点にして揺動および回動してレーザ光のＸ軸方向およびＹ軸方向の照射方向のずれを調整し、調整した状態を維持してねじ６８を締め付けて固定する。
　【００４０】
　このようにすると、レーザ光照射手段１Ａをポリゴンミラー１ｆを固定した基板１１に固定し、またその固定は光学的情報読取装置を収納する筐体２８の外部で行なうので、レーザ光のＸ軸方向およびＹ軸方向の照射方向のずれを調整する作業はきわめて容易であり、かつ正確に行なうことができる。
　【００４１】
　【発明の効果】
　以上詳述したように、本発明によれば基板に保持体にてレーザ光照射手段を保持し、その保持体の基板に当接する側の面に突起を設けることにより、その突起を支点にして揺動させることができるので、レーザ光の照射方向のずれの調整作業がより簡単かつ短時間に行なうことができ、レーザ光の照射方向のずれの調整が可能でありながらその構造は簡素であり、光学情報読取装置におけるレーザ光照射手段のために要するスペースが低減され光学情報読取装置の小型化を図ることができる。
また、アナログ信号処理基板とデジタル信号処理基板とをポリゴンミラーを装着したモータ基板を挾んで、その上下に互いに近接配置、すなわちポリゴンミラーを装着したモータ基板を
むように配置するので、光学情報読取装置全体をコンパクト化することができる
【図面の簡単な説明】
　【図１】
　本発明の実施の形態に係る光学的情報読取装置のレーザ光照射手段の取付け構造を示す斜視図である。
　【図２】
　図１の取付け構造の説明図である。
　【図３】
　本発明の実施の形態に係る光学的情報読取装置の組立て斜視図である。
　【図４】
　図３に示すレーザ光照射部の斜視図である。
　【図５】
　図３に示す回路基板の平面図である。
　【図６】
　本発明の実施の形態に係る光学的情報読取装置の全体の回路構成の概略を示すブロック図である。
　【符号の説明】
　１Ａ　レーザ光照射手段
　１ａ　レーザ駆動回路
　１ｂ　レーザダイオード
　１ｃ　レンズ
　１ｄ　スリット
　１ｆ　ポリゴンミラー
　２　受光部
　３　アナログ信号処理部
　３ｂ　利得可変の増幅手段
　３ｃ　２値化回路
　４　デジタル信号処理部
　５　インタフェース部
　６　操作部
　７　ＥＥＰＲＯＭ
　８　バーコード
　１１　基板
　１３　レーザ光照射手段の保持体
　１４　モータ
　２１ａ〜２１ｅ　回路基板
　２２　フレキシブル回路基板
　２３　ケーブル
　２４　ブッシング
　２５　装置本体
　２６　枠
　２６ａ　外乱光および外乱電磁波遮断機構
　２７　枠体
　２８　上部筐体
　２８ａ　光透過窓
　３４　底部筐体
　６１　レーザ出射窓
　６２　大径部
　６３　凹部
　６４　把持手段（フック）
　６５　突起
　６７　孔
　１　レーザ光照射部
　６８　ねじ